(57)【要約】【課題】スイングする際の空気抵抗を低減すると共に、強度を向上できるラケットを提供する。【解決手段】ラケットは、シャフトと、フレーム３と、シャフトとフレーム３との間にあるスロート２２とを有するように構成され、フレーム３は、内周面３２と、外周面３３と、２つの側面３４とを有し、内周面３２は、内周面中間部と、内周面側部とにより構成され、外周面３３は、外周面中間部と、外周面側部とにより構成され、フレーム３は、第１のフレーム部３５と、第２のフレーム部３６と、第３のフレーム部３７とにより構成されている上、第１のフレーム部３５と第２のフレーム部３６と第３のフレーム部３７との３つのフレーム部において、少なくとも１つのフレーム部の前記内周面側部または前記外周面側部に対応する部分に、複数の窪み４を有する。【選択図】図５
0003201901.tif 000002
【実用新案登録請求の範囲】
【請求項１】
所定の方向へ延伸して手で握れるように構成されているシャフトと、ボールを打撃するための打球面を構成するストリングが張設される張設空間を画成すると共に、該ストリングが固定される複数の貫通孔が形成されるように構成されているフレームと、前記シャフトと前記フレームとの間に介在するスロートと、を有するように構成されているラケットであって、
前記フレームは、前記張設空間に面する内周面と、前記内周面の反対側にある外周面と、前記内周面と前記外周面との間に介在し、前記打球面が略一致する２つの側面と、を有し、
前記複数の貫通孔は、前記内周面及び前記外周面それぞれの中間位置を貫通するように開けられ、
前記内周面は、前記複数の貫通孔が開けられている内周面中間部と、前記内周面中間部の両側それぞれにある内周面側部と、により構成され、
前記外周面は、前記複数の貫通孔が開けられている外周面中間部と、前記外周面中間部の両側それぞれにある外周面側部と、により構成され、
前記フレームは、前記スロートに接続されている第１のフレーム部と、前記第１のフレーム部の前記スロートの反対側にある２つの端部から、それぞれが更に前記スロートから離れる方向へ延伸する第２のフレーム部と、前記第２のフレーム部の前記第１のフレーム部から離れた端部から、それぞれ更に延伸してから互いに向き合うように湾曲して接続されている第３のフレーム部と、により構成され、
前記フレームを構成する前記第１のフレーム部と前記第２のフレーム部と前記第３のフレーム部との３つの前記フレーム部において、少なくとも１つの前記フレーム部の前記内周面側部または前記外周面側部に対応する部分には、それぞれ複数の窪みを有する空気抵抗低減エリアが配置され、
また、前記３つのフレーム部において、前記窪みが形成される前記少なくとも１つのフレーム部以外の他の少なくとも１つの前記フレーム部の前記内周面側部または前記外周面側部に対応する部分には、前記窪みが形成されていない強度増強エリアが配置されている、ラケット。
【請求項２】
前記複数の窪みは、前記内周面側部及び前記外周面側部において、隣り合う２つの前記複数の貫通孔の間に対応する位置に形成されている、請求項１に記載のラケット。
【請求項３】
前記複数の窪みは、前記内周面中間部の両側それぞれにある前記内周面側部において互いに対称になるように形成されている、請求項１又は２に記載のラケット。
【請求項４】
前記複数の窪みは、前記外周面中間部の両側それぞれにある前記外周面側部において互いに対称になるように形成されている、請求項１乃至３のいずれか一項に記載のラケット。
【請求項５】
前記第２のフレーム部における前記内周面側部と前記外周面側部とにそれぞれ対応する部分と、前記第３のフレーム部における前記内周面側部に対応する部分とに、前記空気抵抗低減エリアが配置され、
前記第１のフレーム部における前記内周面側部と前記外周面側部とにそれぞれ対応する部分と、前記第３のフレーム部における前記外周面側部に対応する部分とに、前記強度増強エリアが配置されている、請求項１乃至４のいずれか一項に記載のラケット。
【請求項６】
前記第２のフレーム部における前記内周面側部と前記外周面側部とにそれぞれ対応する部分と、前記第３のフレーム部における前記内周面側部と前記外周面側部とにそれぞれ対応する部分とに、前記空気抵抗低減エリアが配置され、
前記第１のフレーム部における前記内周面側部と前記外周面側部とにそれぞれ対応する部分に前記強度増強エリアが配置されている、請求項１乃至４のいずれか一項に記載のラケット。
【考案の詳細な説明】
【技術分野】
【０００１】
本考案はラケットに関し、具体的には球技で使用するボールやシャトルを打撃するために使用するラケットに関する。
【背景技術】
【０００２】
球技で使用するラケットは、一般に、所定の方向へ延伸して手で握れるように構成されているシャフトと、ストリングを張設してボールを打撃するための打球面を構成することができるフレームと、該シャフトと該フレームとの間に介在するスロートと、により構成されている。
【０００３】
ラケットをスイングする際には、フレームの表面を流れる空気の流線が途中でフレームの表面から離脱し、その離脱点から後方に渦が発生して、フレームの風下側にその渦巻いた乱流で圧力の低い部分が発生し、その結果フレームの風上側とフレームの風下側との間に圧力差が生じて空気抵抗が発生する。その乱流の範囲が小さければ小さいほど、空気抵抗が小さくなる。従って、このような空気抵抗を減少させるために種々の提案がなされている。
【０００４】
例えば、図１に示されるラケットのように、該ラケットのフレーム１１は、ラケットのスイング時の空気抵抗を低減するために、長軸がスイング方向Ａと略平行になる略楕円形に形成されている。略楕円形に形成されると、スイング方向Ａへスイングする際にフレームにおいて空気に当たる面積が小さくなるので、フレームの風下側に発生する乱流の範囲が小さくなり、空気抵抗を低減できる。
【０００５】
また、特許文献１に記載されているラケットのフレーム１０は、図２に示されるように、その内周側表面１２および外周側表面１３のそれぞれに窪み１０１が形成されている。フレーム１０の表面に設けた複数の窪み１０１によって、ラケットをスイング方向Ａへスイングする際に、複数の窪み１０１を経由する空気が分散されて、フレームの風下側に乱流が発生しにくくなり、また、乱流が発生しても、その乱流の範囲が小さく、空気抵抗を低減できる。
【０００６】
しかし、特許文献１に記載されているラケットは、そのフレームの表面に複数の窪みが形成されているので、フレームの機械的な強度が小さくなるという問題点がある。
【先行技術文献】
【特許文献】
【０００７】
【特許文献１】特開平０８−３８６５２号公報
【考案の概要】
【考案が解決しようとする課題】
【０００８】
上記問題点に鑑みて、本考案は、ラケットをスイングする際の空気抵抗を低減すると共に、ラケットの強度を向上できるラケットの提供を目的とする。
【課題を解決するための手段】
【０００９】
上記目的を達成すべく、本考案は、所定の方向へ延伸して手で握れるように構成されているシャフトと、ボールを打撃するための打球面を構成するストリングが張設される張設空間を画成すると共に、該ストリングが固定される複数の貫通孔が形成されるように構成されているフレームと、前記シャフトと前記フレームとの間に介在するスロートと、を有するように構成されているラケットであって、前記フレームは、前記張設空間に面する内周面と、前記内周面の反対側にある外周面と、前記内周面と前記外周面との間に介在し、前記打球面が略一致する２つの側面と、を有し、前記複数の貫通孔は、前記内周面及び前記外周面それぞれの中間位置を貫通するように開けられ、また、前記内周面は、前記複数の貫通孔が開けられている内周面中間部と、前記内周面中間部の両側にある内周面側部と、により構成され、前記外周面は、前記複数の貫通孔が開けられている外周面中間部と、前記外周面中間部の両側それぞれにある外周面側部と、により構成され、さらに、前記フレームは、前記スロートに接続されている第１のフレーム部と、前記第１のフレーム部の前記スロートの反対側にある２つの端部から、それぞれが更に前記スロートから離れる方向へ延伸する第２のフレーム部と、前記第２のフレーム部の前記第１のフレーム部から離れた端部から、それぞれ更に延伸してから互いに向き合うように湾曲して接続されている第３のフレーム部と、により構成されている上、前記フレームを構成する前記第１のフレーム部と前記第２のフレーム部と前記第３のフレーム部との３つのフレーム部において、少なくとも１つのフレーム部の前記内周面側部または前記外周面側部に対応する部分には、それぞれ複数の窪みを有する空気抵抗低減エリアが配置されており、また、前記３つのフレーム部において、前記窪みが形成される１つのフレーム部以外の他の少なくとも１つのフレーム部の前記内周面側部または前記外周面側部に対応する部分には、前記窪みが形成されていない強度増強エリアが配置されている、ラケットを提供する。
【考案の効果】
【００１０】
上記構成により、本考案は、フレームを構成する第１のフレーム部と第２のフレーム部と第３のフレーム部との３つのフレーム部において、少なくとも１つのフレーム部の内周面側部または外周面側部に対応する部分には、それぞれ複数の窪みを有する空気抵抗低減エリアが配置されており、また、該３つのフレーム部において、窪みが形成される１つのフレーム部以外の他の少なくとも１つのフレーム部の内周面側部または外周面側部に対応する部分には、窪みが形成されていない強度増強エリアが配置されている。従って、ラケットをスイングする際の空気抵抗を低減することができると共に、ラケットの機械的な強度を向上することができる。
【図面の簡単な説明】
【００１１】
【図１】従来のラケットのスイング時における、フレームの周辺の空気の流れを示す断面図である。
【図２】特許文献１のラケットの正面図である。
【図３】特許文献１のラケットのスイング時における、フレームの周辺の空気の流れを示す断面図である。
【図４】本考案のラケットの第１の実施形態の斜視図である。
【図５】上記第１の実施形態のフレームの一部の斜視図である。
【図６】上記第１の実施形態のフレームの一部の正面図である。
【図７】上記第１の実施形態のフレームの内周面の一部の正面図である。
【図８】上記第１の実施形態のフレームの外周面の一部の正面図である。
【図９】上記第１の実施形態のフレームのスイング時における、第２のフレームの周辺の空気の流れを示す断面図である。
【図１０】上記第１の実施形態のスイング時における、第３のフレームの周辺の空気の流れを示す断面図である。
【図１１】本考案のラケットの第２の実施形態のフレームの一部の正面図である。
【図１２】本考案のラケットの第３の実施形態の正面図である。
【図１３】上記第３の実施形態のフレームの一部の正面図である。
【考案を実施するための形態】
【００１２】
以下では各図面を参照しながら、本考案の各実施形態について詳しく説明する。
【００１３】
図４は本考案のラケットの第１の実施形態の斜視図であり、図５は上記第１の実施形態のフレームの一部の斜視図であり、図６は上記第１の実施形態のフレームの一部の正面図である。
【００１４】
本考案のラケットの第１の実施形態は、図４に示されるように、バドミントンのラケットであって、所定の方向へ延伸しながら手で握れるように構成されているシャフト２１と、ボールを打撃するための打球面を構成するストリング９が張設される張設空間３０を画成すると共に、ストリング９が固定される貫通孔３１が複数形成されるように構成されているフレーム３と、シャフト２１とフレーム３との間に介在するスロート２２と、を有するように構成されている。
【００１５】
フレーム３は、図５及び図６に示されるように、張設空間３０に面する内周面３２と、内周面３２の反対側にある外周面３３と、内周面３２と外周面３３との間に介在し、前記打球面が略一致する２つの側面３４と、を有するように構成されている。
【００１６】
そして、複数の貫通孔３１は全て、内周面３２及び外周面３３それぞれの中間位置を貫通するように開けられている。
【００１７】
また、図７及び図８に示されるように、内周面３２は、複数の貫通孔３１が開けられている内周面中間部３２１と、内周面中間部３２１の両側それぞれにある内周面側部３２２と、により構成され、外周面３３は、複数の貫通孔３１が開けられている外周面中間部３３１と、外周面中間部３３１の両側それぞれにある外周面側部３３２と、により構成されている。
【００１８】
さらに、フレーム３は、スロート２２に接続されている第１のフレーム部３５と、第１のフレーム部３５のスロート２２の反対側にある２つの端部から、それぞれが更にスロート２２から離れる方向へ延伸する第２のフレーム部３６と、第２のフレーム部３６の第１のフレーム部３５から離れた端部から、それぞれ更に延伸してから互いに向き合うように湾曲して接続されている第３のフレーム部３７と、により構成されている上、フレーム３を構成する第１のフレーム部３５と第２のフレーム部３６と第３のフレーム部３７との３者において、少なくとも１者の内周面側部３２２または外周面側部３３２に対応する部分には、それぞれ複数の窪み４を有する空気抵抗低減エリア４１が配置されている。また、前記３者において、窪み４が形成される１者以外の他の少なくとも１者の内周面側部３２２または外周面側部３３２に対応する部分には、窪み４が形成されていない強度増強エリア４２が配置されている。
【００１９】
この実施形態においては、図５及び図６に示されるように、第２のフレーム部３６における内周面側部３２２と外周面側部３３２とにそれぞれ対応する部分と、第３のフレーム部３７における内周面側部３２２に対応する部分とに、空気抵抗低減エリア４１が配置され、且つ第１のフレーム部３５における内周面側部３２２と外周面側部３３２とにそれぞれ対応する部分と、第３のフレーム部３７における外周面側部３３２に対応する部分とに、強度増強エリア４２が配置されている。
【００２０】
また、ラケットで地面にあるボールやシャトルを拾い上げる、またはフレーム３が他の物に衝突することにより、ストリング９が地面や他の物に衝突して断裂することを防止するために、第３のフレーム部３７における外周面３３は、複数の貫通孔３１が開けられ、ストリング９を収容できる溝３７１が形成されている。
【００２１】
図７は上記第１の実施形態のフレーム３の内周面の一部の正面図であり、図８は上記第１の実施形態のフレームの外周面の一部の正面図である。
【００２２】
複数の窪み４は、図７及び図８に示されるように、内周面側部３２２及び外周面側部３３２において、隣り合う２つの複数の貫通孔３１の間に対応する位置に、内周面中間部３２１の両側それぞれにある内周面側部３２２において互いに対称になるように、且つ外周面中間部３３１の両側それぞれにある外周面側部３３２において互いに対称になるように形成されている。
【００２３】
図９は上記第１の実施形態のスイング時における、第２のフレーム部３６の周辺の空気の流れを示す断面図であり、図１０は上記第１の実施形態のスイング時における、第３のフレーム部３７の周辺の空気の流れを示す断面図である。
【００２４】
上記の構成によれば、本考案のラケットをスイング方向１００へスイングする際に、第２のフレーム部３６における内周面側部３２２と外周面側部３３２とにそれぞれ対応する部分と、第３のフレーム部３７における内周面側部３２２に対応する部分とに、空気抵抗低減エリア４１が配置されていることによって、図９及び図１０に示されるように、空気がフレーム３の風下側での流動方向が変わるように分散されて、フレームの後方に乱流が発生しにくくなり、また、乱流が発生しても、その乱流の範囲が小さく、空気抵抗を低減できると共に、第１のフレーム部３５における内周面側部３２２と外周面側部３３２とにそれぞれ対応する部分と、第３のフレーム部３７における外周面側部３３２それぞれに対応する部分とに強度増強エリア４２が配置されていることによって、フレーム３の機械的な強度を、従来のフレーム全体に窪みが形成されているラケットの機械的な強度より向上することができる。
【００２５】
本考案のラケットの第２の実施形態については、上記第１の実施形態と類似する構成を有するので、ここでは詳しい説明を省略し、その相違点のみを説明する。
【００２６】
図１１は本考案のラケットの第２の実施形態のフレームの一部の正面図である。
【００２７】
この第２の実施形態は、第２のフレーム部３６における内周面側部３２２と外周面側部３３２とにそれぞれ対応する部分と、第３のフレーム部３７における内周面側部３２２と外周面側部３３２とにそれぞれ対応する部分とに、空気抵抗低減エリア４１が配置され、第１のフレーム部３５における内周面側部３２２と外周面側部３３２とにそれぞれ対応する部分に強度増強エリア４２が配置されている。
【００２８】
この第２の実施形態の構成によれば、上記第１の実施形態より更に第３のフレーム部３７における外周面側部３３２に対応する部分に空気抵抗低減エリア４１が配置されているので、ラケットをスイングする際の空気抵抗を更に低減できる。
【００２９】
本考案のラケットの第３の実施形態については、上記第１の実施形態と類似する構成を有するので、ここでは詳しい説明を省略し、その相違点のみを説明する。
【００３０】
図１２は本考案のラケットの第３の実施形態の正面図であり、図１３は上記第３の実施形態のフレームの一部の正面図である。
【００３１】
この第３の実施形態は、テニスのラケットであって、第２のフレーム部３６における内周面側部３２２と外周面側部３３２とにそれぞれ対応する部分と、第３のフレーム部３７における内周面側部３２２に対応する部分とに、空気抵抗低減エリア４１が配置され、且つ第１のフレーム部３５における内周面側部３２２と外周面側部３３２とにそれぞれ対応する部分と、第３のフレーム部３７における外周面側部３３２それぞれに対応する部分とに、強度増強エリア４２が配置されている。
【００３２】
この第３の実施形態の構成によれば、上記第１の実施形態と同じく、ラケットをスイングする際の空気抵抗を低減することができると共に、ラケットの機械的な強度を向上することができる。
【産業上の利用可能性】
【００３３】
本考案のラケットは、球技で使用するボールやシャトルを打撃するために使用するラケットとして利用でき、また、空気抵抗低減エリア及び強度増強エリアが配置されていることにより、ラケットのスイング時における空気抵抗が低減されると共に、ラケットの機械的な強度が向上されているので、激しくラケットを使用する球技に特に好適である。
【符号の説明】
【００３４】
１００  スイング方向
２１  シャフト
２２  スロート
３０  張設空間
３１  貫通孔
３２  内周面
３２１  内周面中間部
３２２  内周面側部
３３  外周面
３３１  外周面中間部
３３２  外周面側部
３４  側面
３５  第１のフレーム部
３６  第２のフレーム部
３７  第３のフレーム部
３７１  溝
４  窪み
４１  空気抵抗低減エリア
４２  強度増強エリア
９  ストリング
【図１】
0003201901.tif 000003
【図２】
0003201901.tif 000004
【図３】
0003201901.tif 000005
【図４】
0003201901.tif 000006
【図５】
0003201901.tif 000007
【図６】
0003201901.tif 000008
【図７】
0003201901.tif 000009
【図８】
0003201901.tif 000010
【図９】
0003201901.tif 000011
【図１０】
0003201901.tif 000012
【図１１】
0003201901.tif 000013
【図１２】
0003201901.tif 000014
【図１３】
0003201901.tif 000015